(57)【要約】【課題】  電子バリューの流通状況を電子バリューの発行者が取得できるようにする。【解決手段】  電子バリューを記憶可能なユーザ携帯端末１０２と，ユーザ携帯端末との間で電子バリューを送受信可能な電子バリュー流通装置１０４と，ユーザ携帯端末１０２に電子バリューを発行する電子バリュー発行サーバ１１４とを設け，電子バリュー流通装置は，電子バリューを送信または受信したユーザ携帯端末からユーザ識別子を取得し，電子バリューを送信したユーザ識別子，電子バリューを受信したユーザ識別子および送受信した電子バリューに関する情報とを電子バリュー発行サーバに送信する。【選択図】    図１
2005301586.tif 000002
【特許請求の範囲】
【請求項１】
１または２以上の商品および／またはサービスに関連する電子バリューを発行する電子バリュー発行サーバと，前記電子バリューを格納可能なユーザ携帯端末と，前記ユーザ携帯端末との間で前記電子バリューの授受を行う電子バリュー流通装置とを含んで構成され：
前記電子バリュー発行サーバは，
ユーザを識別するユーザ識別子と該ユーザの嗜好情報を関連付けて記憶する嗜好情報記憶部と，
前記ユーザの嗜好情報に基づいて前記ユーザに前記電子バリューを発行する電子バリュー発行部と，を備え，
前記ユーザ携帯端末は，
前記電子バリュー発行サーバから発行された前記電子バリューを取得する電子バリュー取得部と，
前記電子バリューを記憶する電子バリュー記憶部と，
前記電子バリュー記憶部からユーザに所望の前記電子バリューを選択せしめる端末電子バリュー選択部と，
ユーザに選択された前記電子バリューを前記電子バリュー流通装置に送信する端末電子バリュー送信部と，
前記電子バリューを前記電子バリュー流通装置から受信する端末電子バリュー受信部と，を備え：
前記電子バリュー流通装置は，
前記ユーザ携帯端末から前記電子バリューを受信する電子バリュー受信部と，
前記ユーザ携帯端末に前記電子バリューを送信する電子バリュー送信部と，
前記電子バリューを送信および／または受信した前記ユーザ携帯端末から前記ユーザ識別子を取得して該ユーザ識別子と前記送信および／または受信した電子バリューに関する情報とを関連付けて前記電子バリュー発行サーバに送信する流通情報送信部と，を備え：
前記電子バリュー発行サーバにおいて前記流通情報が前記嗜好情報記憶部の記憶内容に反映されることを特徴とする，電子バリュー流通システム。
【請求項２】
前記電子バリューは，前記１または２以上の商品および／またはサービスに関する電子クーポンであることを特徴とする，請求項１に記載の電子バリュー流通システム。
【請求項３】
前記電子バリューは，前記１または２以上の商品および／またはサービスに関するポイント情報であることを特徴とする，請求項１に記載の電子バリュー流通システム。
【請求項４】
電子バリュー発行サーバから発行された１または２以上の商品および／またはサービスに関連する電子バリューを電子バリュー流通装置との間で授受可能なユーザ携帯端末であって：
前記電子バリュー発行サーバから発行された前記電子バリューを取得する電子バリュー取得部と，
前記電子バリューを記憶する電子バリュー記憶部と，
前記電子バリューを前記電子バリュー流通装置に送信する端末電子バリュー送信部と，
前記電子バリューを前記電子バリュー流通装置から受信する端末電子バリュー受信部と，を備えることを特徴とする，ユーザ携帯端末。
【請求項５】
前記電子バリュー記憶部からユーザに所望の前記電子バリューを選択せしめる端末電子バリュー選択部をさらに備え，前記端末電子バリュー送信部は，前記端末電子バリュー選択部によって選択された前記電子バリューを前記電子バリュー流通装置に送信することを特徴とする，請求項４に記載のユーザ携帯端末。
【請求項６】
前記電子バリュー記憶部は，前記１または２以上の商品および／またはサービスを識別する識別子と各々の商品および／またはサービスに関連する前記電子バリューとを関連付けて記憶することを特徴とする，請求項４に記載のユーザ携帯端末。
【請求項７】
前記電子バリューは，前記１または２以上の商品および／またはサービスに関する電子クーポンであることを特徴とする，請求項４に記載のユーザ携帯端末。
【請求項８】
前記電子バリューは，前記１または２以上の商品および／またはサービスに関するポイント情報であることを特徴とする，請求項４に記載のユーザ携帯端末。
【請求項９】
コンピュータをして，電子バリュー発行サーバから発行された１または２以上の商品および／またはサービスに関連する電子バリューを電子バリュー流通装置との間で授受可能なユーザ携帯端末であって：
前記電子バリュー発行サーバから発行された前記電子バリューを取得する電子バリュー取得部と，
前記電子バリューを記憶する電子バリュー記憶部と，
前記電子バリューを前記電子バリュー流通装置に送信する端末電子バリュー送信部と，
前記電子バリューを前記電子バリュー流通装置から受信する端末電子バリュー受信部と，を備えるユーザ携帯端末として機能せしめることを特徴とする，コンピュータプログラム。
【請求項１０】
電子バリュー発行サーバから発行された１または２以上の商品および／またはサービスに関連する電子バリューをユーザ携帯端末との間で授受可能な電子バリュー流通装置であって：
前記ユーザ携帯端末から前記電子バリューを受信する電子バリュー受信部と，
前記ユーザ携帯端末に前記電子バリューを送信する電子バリュー送信部と，を備え：
２以上の前記ユーザ携帯端末間での前記電子バリューの譲渡を可能にすることを特徴とする，電子バリュー流通装置。
【請求項１１】
前記電子バリュー受信部が受信した前記電子バリューからユーザに所望の電子バリューを選択せしめる電子バリュー選択部をさらに備え，
前記電子バリュー送信部は前記電子バリュー選択部によって選択された前記電子バリューを前記ユーザ携帯端末に送信することを特徴とする，請求項１０に記載の電子バリュー流通装置。
【請求項１２】
前記電子バリュー受信部が受信した前記電子バリューを蓄積する流通電子バリュー蓄積部と，
前記受信した電子バリューと交換可能な電子バリューを前記流通電子バリュー蓄積部から抽出する流通電子バリュー抽出部と，
前記流通電子バリュー抽出部によって抽出された前記電子バリューからユーザに所望の前記電子バリューを選択せしめる流通電子バリュー選択部と，をさらに備え：
前記電子バリュー送信部は，前記電子バリューを受信したユーザ携帯端末に対して前記流通電子バリュー選択部によって選択された前記電子バリューを送信することを特徴とする，請求項１０に記載の電子バリュー流通装置。
【請求項１３】
前記電子バリューを送信および／または受信する前記ユーザ携帯端末からユーザを識別するユーザ識別子を取得し，該ユーザ識別子と，前記ユーザ携帯端末に送信および／または前記ユーザ携帯端末から受信した電子バリューに関する情報とを関連付けて前記電子バリュー発行サーバに送信する流通情報送信部をさらに備えることを特徴とする，請求項１０に記載の電子バリュー流通装置。
【請求項１４】
コンピュータをして，電子バリュー発行サーバから発行された１または２以上の商品および／またはサービスに関連する電子バリューをユーザ携帯端末との間で授受可能な電子バリュー流通装置であって：
前記ユーザ携帯端末から前記電子バリューを受信する電子バリュー受信部と，
前記ユーザ携帯端末に前記電子バリューを送信する電子バリュー送信部と，を備え：
２以上の前記ユーザ携帯端末間での前記電子バリューの譲渡を可能にする電子バリュー流通装置として機能せしめることを特徴とする，コンピュータプログラム。
【請求項１５】
１または２以上の商品および／またはサービスに関連する電子バリューを発行する電子バリュー発行サーバと，前記電子バリューを格納可能な２以上のユーザ携帯端末と，前記ユーザ携帯端末との間で前記電子バリューの授受を行う電子バリュー流通装置とを用いて実現され：
前記電子バリュー発行サーバが，
前記ユーザに前記電子バリューを発行する工程と，
一の前記ユーザ携帯端末が，
前記電子バリュー発行サーバから発行された前記電子バリューを取得する工程と，
前記電子バリューを電子バリュー記憶部に記憶する工程と，
前記電子バリューを前記電子バリュー流通装置に送信する工程と，
前記電子バリュー流通装置が，
前記一のユーザ携帯端末から前記電子バリューを受信する工程と，
他の前記ユーザ携帯端末に前記電子バリューを送信する工程と，
前記他のユーザ携帯端末が，
前記電子バリューを前記電子バリュー流通装置から受信する工程と，を含み：
前記２以上のユーザ携帯端末間で前記電子バリュー流通装置を介して前記電子バリューの譲渡が可能であることを特徴とする，電子バリュー流通方法。
【請求項１６】
前記一のユーザ携帯端末が，前記電子バリュー記憶部からユーザに所望の前記電子バリューを選択せしめる工程をさらに含み，
前記電子バリューを前記電子バリュー流通装置に送信する工程は，前記ユーザによって選択された前記電子バリューを送信することを特徴とする，請求項１５に記載の電子バリュー流通方法。
【請求項１７】
前記電子バリュー流通装置が，前記一のユーザ携帯端末から受信した前記電子バリューからユーザに所望の電子バリューを選択せしめる工程をさらに含み，
前記他のユーザ携帯端末に前記電子バリューを送信する工程は，前記選択された電子バリューを送信することを特徴とする，請求項１５に記載の電子バリュー流通方法。
【請求項１８】
前記電子バリュー流通装置が，
２以上の前記ユーザ携帯端末から受信した前記電子バリューを流通電子バリュー蓄積部に蓄積する工程と，
前記一のユーザ携帯端末から受信した電子バリューと交換可能な電子バリューを前記流通電子バリュー蓄積部から抽出する工程と，
抽出された前記電子バリューからユーザに所望の前記電子バリューを選択せしめる工程と，をさらに含み：
前記電子バリュー流通装置は，前記電子バリューを受信した一のユーザ携帯端末に対して前記ユーザによって選択された前記電子バリューを送信することを特徴とする，請求項１５に記載の電子バリュー流通方法。
【請求項１９】
前記電子バリュー記憶部は，前記１または２以上の商品および／またはサービスを識別する識別子と各々の商品および／またはサービスに関連する前記電子バリューとを関連付けて記憶することを特徴とする，請求項１５に記載の電子バリュー流通方法。
【請求項２０】
前記電子バリュー発行サーバが，
ユーザを識別するユーザ識別子と該ユーザの嗜好情報とを関連付けて嗜好情報記憶部に記憶する工程と，
前記電子バリュー流通装置が，
前記電子バリューを送信した前記他のユーザ携帯端末から前記ユーザ識別子を取得して該ユーザ識別子と前記送信した電子バリューに関する情報とを関連付けて流通情報として前記電子バリュー発行サーバに送信する工程と，
をさらに含み：
前記電子バリュー発行サーバにおいて前記流通情報が前記嗜好情報記憶部の記憶内容に反映されることを特徴とする，請求項１５に記載の電子バリュー流通方法。
【請求項２１】
前記電子バリュー発行サーバが前記ユーザに前記電子バリューを発行する工程は，前記嗜好情報記憶部の記憶内容に基づき前記ユーザの嗜好に沿う電子バリューを前記ユーザのユーザ携帯端末に送信することを特徴とする，請求項１５に記載の電子バリュー流通方法。
【請求項２２】
前記電子バリューは，前記１または２以上の商品および／またはサービスに関する電子クーポンであることを特徴とする，請求項１５に記載の電子バリュー流通方法。
【請求項２３】
前記電子バリューは，前記１または２以上の商品および／またはサービスに関するポイント情報であることを特徴とする，請求項１５に記載の電子バリュー流通方法。
【発明の詳細な説明】
【技術分野】
【０００１】
本発明は，電子バリュー流通システム，ユーザ携帯端末，電子バリュー流通装置，電子バリュー流通方法およびコンピュータプログラムに関する。
【背景技術】
【０００２】
従来，商品やサービスを提供する事業者などが顧客の購買意欲を増進させるべく，例えばチラシ，ダイレクトメール，電子メール，Ｗｅｂ広告などによって割引クーポンを顧客に対して提供することが一般的に行われている。顧客がクーポンを使用する場合には，発行されたクーポンを店舗に持参し，または携帯電話等の表示画面上にクーポンの電子的な情報（以後，電子クーポンと称する。）を表示させて提示する。このような使用の態様では，クーポンの発行主である商品／サービスの事業者は発行後のクーポンが誰によって使用されたかを知ることができない。たとえ特定の顧客にクーポンを発行していたとしても，そのクーポンが他人に譲渡された場合などはクーポンを発行した顧客と使用した顧客とは異なっているが，事業者はクーポンの譲渡を知ることができない。その結果，事業者は，クーポン使用者に対してさらにクーポンを発行するなどして販売促進を図ることは困難である。
【０００３】
そこで，電子クーポンを使用した顧客の情報を取得し，クーポンの使用状況に応じてその顧客に対して発行するクーポンの内容を決定するシステムが開発されている（例えば，特許文献１参照）。上記システムによれば，二次元コードよりなる電子クーポンを特定の顧客の携帯電話等に提供し，クーポン使用時に二次元コードを読み取ることによってその顧客の情報を取得し，使用されたクーポンによって次にその顧客に発行するクーポンの内容を決定する。
【０００４】
【特許文献１】特開２００３−２４８７７４号公報
【発明の開示】
【発明が解決しようとする課題】
【０００５】
しかし，上記システムは，顧客が電子クーポンに対応する商品を購入した時にその電子クーポンの使用状況を取得することができるのみであり，譲渡された場合を含む電子クーポンの流通状況を取得することはできなかった。
【０００６】
そこで，本発明は，このような問題に鑑みてなされたもので，その目的とするところは，電子クーポンを含む電子バリューの流通状況を電子バリューの発行者が取得することが可能な電子バリュー流通システム，ユーザ携帯端末，電子バリュー流通装置，電子バリュー流通方法およびコンピュータプログラムを提供することにある。
【課題を解決するための手段】
【０００７】
上記課題を解決するために，本発明のある観点によれば，１または２以上の商品および／またはサービスに関連する電子バリューを発行する電子バリュー発行サーバと，電子バリューを格納可能なユーザ携帯端末と，ユーザ携帯端末との間で電子バリューの授受を行う電子バリュー流通装置とを含んで構成される電子バリュー流通システムが提供される。
【０００８】
上記電子バリュー発行サーバは，ユーザを識別するユーザ識別子と該ユーザの嗜好情報を関連付けて記憶する嗜好情報記憶部と，ユーザの嗜好情報に基づいてユーザに電子バリューを発行する電子バリュー発行部を備える。
【０００９】
上記ユーザ携帯端末は，電子バリュー発行サーバから発行された電子バリューを取得する電子バリュー取得部と，電子バリューを記憶する電子バリュー記憶部と，電子バリュー記憶部からユーザに所望の電子バリューを選択せしめる端末電子バリュー選択部と，ユーザに選択された電子バリューを電子バリュー流通装置に送信する端末電子バリュー送信部と，電子バリューを電子バリュー流通装置から受信する端末電子バリュー受信部とを備える。
【００１０】
上記電子バリュー流通装置は，ユーザ携帯端末から電子バリューを受信する電子バリュー受信部と，ユーザ携帯端末に電子バリューを送信する電子バリュー送信部と，電子バリューを送信および／または受信したユーザ携帯端末からユーザ識別子を取得して該ユーザ識別子と送信および／または受信した電子バリューに関する情報とを関連付けて電子バリュー発行サーバに送信する流通情報送信部とを備える。
【００１１】
また，上記電子バリュー発行サーバにおいて上記流通情報が上記嗜好情報記憶部の記憶内容に反映されることを特徴とする。
【００１２】
電子バリューとは，商品やサービスの提供者から顧客に対して提供される金銭的に価値のある情報であって，例えば，商品やサービスの割引を受けられる割引クーポンの電気的な情報（電子クーポン）や，顧客の商品／サービス購入額に応じて与えられ，次回商品購入時に商品の割引を受けたりプレゼントと交換できるポイント情報などが含まれる。また，電子バリューに関する情報とは，例えば電子バリューの識別子や電子バリューの内容を示すキーワードなどであって，その電子バリューがどのようなものであるかがわかる情報である。
【００１３】
上記発明によれば，電子バリュー流通装置がユーザ携帯端末との間で送信や受信をした電子バリューに関する情報を，ユーザ識別子と関連付けて電子バリュー発行サーバに送信できるため，電子バリュー発行サーバは発行後の電子バリューの流通状況を把握することができる。
【００１４】
なお，上記電子バリュー発行サーバと上記電子バリュー流通装置は一体で構成されていても構わない。
【００１５】
上記電子バリューは，１または２以上の商品および／またはサービスに関する電子クーポンであってもよい。
【００１６】
上記電子バリューは，１または２以上の商品および／またはサービスに関するポイント情報であってもよい。
【００１７】
また，上記課題を解決するために，本発明の別の観点によれば，上記電子バリュー流通システムを実現するための電子バリュー流通方法が提供される。
【００１８】
上記課題を解決するために，本発明の別の観点によれば，電子バリュー発行サーバから発行された１または２以上の商品および／またはサービスに関連する電子バリューを電子バリュー流通装置との間で授受可能なユーザ携帯端末が提供される。上記ユーザ携帯端末は，電子バリュー発行サーバから発行された電子バリューを取得する電子バリュー取得部と，電子バリューを記憶する電子バリュー記憶部と，電子バリューを電子バリュー流通装置に送信する端末電子バリュー送信部と，電子バリューを電子バリュー流通装置から受信する端末電子バリュー受信部とを備える。
【００１９】
上記発明によれば，ユーザ携帯端末は，電子バリュー取得部によって電子バリューを電子バリュー発行サーバから取得し，取得した電子バリューを電子バリュー記憶部に記憶することができる。また，電子バリュー記憶部に記憶されている電子バリューを端末電子バリュー送信部によって電子バリュー流通装置に送信でき，端末電子バリュー受信部によって電子バリューを電子バリュー流通装置から受信できる。
【００２０】
上記ユーザ携帯端末は，上記電子バリュー記憶部からユーザに所望の電子バリューを選択せしめる端末電子バリュー選択部をさらに備え，端末電子バリュー送信部は，端末電子バリュー選択部によって選択された電子バリューを電子バリュー流通装置に送信するように構成されてもよい。かかる構成によれば，電子バリュー記憶部内に複数の電子バリューが記憶されている場合であっても，ユーザの所望の電子バリューを送信することができる。
【００２１】
上記電子バリュー記憶部は，１または２以上の商品および／またはサービスを識別する識別子と各々の商品および／またはサービスに関連する電子バリューとを関連付けて記憶するように構成されてもよい。
【００２２】
上記課題を解決するために，本発明の別の観点によれば，電子バリュー発行サーバから発行された１または２以上の商品および／またはサービスに関連する電子バリューをユーザ携帯端末との間で授受可能な電子バリュー流通装置が提供される。上記電子バリュー流通装置は，ユーザ携帯端末から電子バリューを受信する電子バリュー受信部と，ユーザ携帯端末に電子バリューを送信する電子バリュー送信部とを備え，２以上のユーザ携帯端末間での電子バリューの譲渡を可能にすることを特徴とする。
【００２３】
上記発明によれば，電子バリュー流通装置は，電子バリュー受信部によってユーザ携帯端末から電子バリューを受信し，電子バリュー送信部によってユーザ携帯端末に電子バリューを送信することができる。従って，１または２以上のユーザ携帯端末との間で電子バリューを送受信することによって電子バリューをユーザ間で流通させることができる。
【００２４】
上記電子バリュー流通装置は，上記電子バリュー受信部が受信した電子バリューからユーザに所望の電子バリューを選択せしめる電子バリュー選択部をさらに備え，電子バリュー送信部は電子バリュー選択部によって選択された電子バリューをユーザ携帯端末に送信するように構成されてもよい。かかる構成によれば，ユーザ携帯端末が複数の電子バリューを保持している場合であっても，ユーザの所望の電子バリューを送信することができる。特に，ユーザ携帯端末が複数の電子バリューからユーザに所望のものを選択させる手段を具備しない場合等に有効である。
【００２５】
上記電子バリュー流通装置は，上記電子バリュー受信部が受信した電子バリューを蓄積する流通電子バリュー蓄積部と，受信した電子バリューと交換可能な電子バリューを流通電子バリュー蓄積部から抽出する流通電子バリュー抽出部と，流通電子バリュー抽出部によって抽出された電子バリューからユーザに所望の電子バリューを選択せしめる流通電子バリュー選択部と，をさらに備え，電子バリュー送信部は，電子バリューを受信したユーザ携帯端末に対して流通電子バリュー選択部によって選択された電子バリューを送信するように構成されてもよい。かかる構成によれば，ユーザ携帯端末から受信した電子バリューを流通電子バリュー蓄積部に蓄積することができ，蓄積された電子バリューを他のユーザ携帯端末に送信することができる。
【００２６】
上記電子バリュー流通装置は，上記電子バリューを送信および／または受信するユーザ携帯端末からユーザを識別するユーザ識別子を取得し，該ユーザ識別子と，ユーザ携帯端末に送信したおよび／またはユーザ携帯端末から受信した電子バリューに関する情報と，を関連付けて電子バリュー発行サーバに送信する流通情報送信部をさらに備えるように構成されてもよい。かかる構成によれば，電子バリュー流通装置がユーザ携帯端末に送信した電子バリューに関する情報や，ユーザ携帯端末から受信した電子バリューに関する情報を電子バリュー発行サーバが把握することができる。
【００２７】
また，コンピュータをして上記ユーザ携帯端末，上記電子バリュー流通装置または上記電子バリュー発行サーバとして機能せしめるコンピュータプログラムもそれぞれ提供される。
【発明の効果】
【００２８】
以上説明したように本発明によれば，電子バリューの流通状況を電子バリューの発行者が取得することが可能な電子バリュー流通システム，ユーザ携帯端末，電子バリュー流通装置，電子バリュー流通方法およびコンピュータプログラムを提供できるものである。
【発明を実施するための最良の形態】
【００２９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３０】
（第１実施形態）
本発明の第１実施形態として，電子クーポンを電子バリューの一例とし，２人以上のユーザ間で電子クーポンの譲渡を行うことによって電子クーポンを流通させることが可能で，さらに，譲渡が行われた際に譲渡対象の電子クーポンの情報を譲渡に関係したユーザの嗜好情報に反映させることの可能な電子バリュー流通システム１００に適用して説明する。
【００３１】
まず，図１に基づいて，本実施形態にかかる電子バリュー流通システム１００の全体構成について説明する。電子バリュー流通システム１００は，例えば，ユーザ携帯端末１０２ａ，１０２ｂと，電子バリュー流通装置１０４と，通信網１１２と，電子バリュー発行サーバ１１４などから構成される。
【００３２】
ユーザ携帯端末１０２ａ，１０２ｂ，…（以後，単にユーザ携帯端末１０２と称する。）は，電子バリュー流通システム１００を利用するユーザを一意に識別するユーザ識別子と，商品やサービスに対する割引クーポンの電気的な情報である電子クーポンとを記憶し，後述する電子バリュー流通装置１０４にユーザ識別子および電子クーポンを送信することの可能な情報端末である。ユーザ識別子は，ユーザが会員登録する際に付与されたユーザＩＤなどである。ユーザ携帯端末１０２はユーザが持ち運びできる程度の大きさ及び重さであることが望ましく，例えば，磁気カード，ＩＣカード，携帯電話，ＰＤＡ（Ｐｅｒｓｏｎａｌ  Ｄｉｇｉｔａｌ  Ａｓｓｉｓｔａｎｔ）や，ＩＣチップを内蔵した腕時計，アクセサリー等を例示できる。
【００３３】
本実施形態では，ユーザ識別子および複数の電子クーポンを記憶できる記憶装置を有し，電子バリュー流通装置１０４との間で非接触式での通信を行うことの可能なＩＣチップを内蔵したカードや携帯電話をユーザ携帯端末１０２として用いる。上記非接触式とは，ユーザ携帯端末１０２と電子バリュー流通装置１０４とが接触していないか，物理的に接触していても電気的に接触していないことをいう。ユーザ携帯端末１０２が非接触式での通信を行うことができれば，ユーザはユーザ携帯端末１０２を電子バリュー流通装置１０４に翳すだけで記憶装置に記憶されているユーザ識別子および電子クーポンを電子バリュー流通装置１０４に送信できるため簡便である。なお，非接触式の通信は無線で行われるが，主に，１０ｃｍ程度の狭い範囲内のみにおいて非接触式に通信を行うことができる，１３．５６ＭＨｚのＲＦ搬送波周波数と最大２１２Ｋｂｐｓの通信速度を有する近距離無線規格（ＮＦＣ：Ｎｅａｒ  Ｆｉｅｌｄ  Ｃｏｍｍｕｎｉｃａｔｉｏｎ）に沿って行われることが望ましい。
【００３４】
電子バリュー流通装置１０４は，ユーザ携帯端末１０２との間で電子クーポンを送受信するとともに，ユーザに電子クーポンを提供する電子クーポン発行サーバ１１４と通信網１１２を介して接続されて，電子クーポン発行サーバ１１４に電子クーポンの流通情報を送信することが可能な情報処理装置である。
【００３５】
電子クーポンの流通情報とは，例えば，どのユーザがどんな電子クーポンを他人に譲渡したか，また，どのユーザがどんな電子クーポンを他人から譲受したか，などを示す情報であって，具体的には，ユーザを識別するユーザ識別子と，電子クーポンの識別子や電子クーポンの内容を示すキーワードなどとの組み合わせである。電子バリュー流通装置１０４が電子クーポンの流通情報を電子バリュー発行サーバ１１４に提供することによって，電子バリュー発行サーバ１１４では電子クーポンの流通状況を把握でき，流通状況からユーザの嗜好の変動を推測することができ，かかるユーザの嗜好の変動に基づき次回そのユーザに発行する電子クーポン等を決定することが可能になる。
【００３６】
本実施形態において電子バリュー流通装置１０４は，ユーザ携帯端末１０２との間で非接触式で電子クーポンの送受信を行うための非接触式通信部１１０を備える。また，ユーザ携帯端末１０２が例えばＩＣカードなどで電子クーポンの内容を表示する表示部を備えていない場合などには，電子バリュー流通装置１０４は，ユーザ携帯端末１０２から受信した電子クーポンの内容を表示する表示部１０６と，表示部１０６に内容を表示された複数の電子クーポンの中からユーザに所望の，または他人に譲渡したい電子クーポンを選択させる電子クーポン選択部１０８を備えていても良い。電子クーポン選択部１０８は，例えばキーボード，タッチパネル，マウスなどの入力装置であって，ユーザが表示部１０６に表示されている電子クーポンの中から所望のものを選択できる機能を有する。
【００３７】
通信網１１２は，双方向通信が可能な電話回線，専用回線などであり，本実施形態におけるユーザ識別子および電子クーポンの流通情報等を流通させる機能を持つ。通信網１１２はインターネットを含み，有線，無線を問わない。
【００３８】
電子バリュー発行サーバ１１４は，電子バリュー流通システム１００を利用するユーザに対してユーザの嗜好に沿った電子クーポンを発行する情報処理装置である。電子バリュー発行サーバ１１４は通信網１１２を介して電子バリュー流通装置１０４からユーザ識別子および流通情報を受信し，そのユーザ識別子によって識別されるユーザの嗜好に流通情報を反映させ，また，そのユーザの嗜好に沿った電子クーポンをユーザ携帯端末１０２に送信する。
【００３９】
上記構成により，電子バリュー流通システム１００によれば，ユーザは電子バリュー流通装置１０４を介して電子クーポンの譲渡および譲受が可能である。また，電子クーポンの譲渡や譲受の状況を流通情報として電子バリュー流通装置１０４が電子バリュー発行サーバ１１４に送信することによって，電子バリュー発行サーバ１１４は発行後の電子クーポンの使用以外の流通状況をも知ることができる。電子バリュー発行サーバ１１４が電子クーポンの譲渡，譲受の状況を取得することによって，ユーザの嗜好の変動を次回の電子クーポン発行時に反映することができる。
【００４０】
以上，電子バリュー流通システム１００の全体構成について説明した。次に，図２に基づいて，
ユーザ携帯端末１０２，電子バリュー流通装置１０４および電子バリュー発行サーバ１１４の機能構成について説明する。
【００４１】
まず，ユーザ携帯端末１０２，電子バリュー流通装置１０４および電子バリュー発行サーバ１１４のハードウェア構成について概略的に説明する。ユーザ携帯端末１０２，電子バリュー流通装置１０４および電子バリュー発行サーバ１１４は，例えば，ＣＰＵ，ＲＯＭ，ＲＡＭ，ハードディスクなどを備える。
【００４２】
ＣＰＵは，演算処理装置および制御装置として機能し，ユーザ携帯端末１０２，電子バリュー流通装置１０４または電子バリュー発行サーバ１１４内の各部の処理を制御することができる。また，ＲＯＭ，ＲＡＭは，ＣＰＵの処理に関する各種データ，ＣＰＵの動作プログラム等を一時的に記憶する機能を有する。
【００４３】
ハードディスクは，例えば，ハードディスクドライブ，フラッシュメモリ等で構成されたデータ格納用の装置であり，オペレーションシステム（ＯＳ）や各種アプリケーションプログラムなどの各種データを格納することができる。このハードディスクには，例えば，後述する電子バリュー記憶部１２２，ユーザ識別子記憶部１３０，電子バリュー蓄積部１５４や嗜好情報記憶部１５６などを格納することもできる。なお，電子バリュー記憶部１２２，ユーザ識別子記憶部１３０，電子バリュー蓄積部１５４や嗜好情報記憶部１５６などは，ハードディスクではなく，ＲＯＭやＲＡＭなどに格納されてもよい。
【００４４】
また，ユーザ携帯端末１０２は，磁気カード等である場合にはＣＰＵなどを備えていなくてもよいし，ＩＣチップを備えたＩＣカードや携帯電話などである場合にはＥＥＰＲＯＭを備え，電子バリュー記憶部１２２，ユーザ識別子記憶部１３０などはＥＥＰＲＯＭに格納されていてもよい。
【００４５】
次に，機能構成について説明する。ユーザ携帯端末１０２は，例えば，電子バリュー取得部１２０と，電子バリュー記憶部１２２と，端末電子バリュー選択部１２４と，端末電子バリュー送信部１２６と，端末電子バリュー受信部１２８と，ユーザ識別子記憶部１３０と，ユーザ識別子送信部１３２などから構成される。
【００４６】
電子バリュー取得部１２０は，電子バリュー発行サーバ１１４から電子バリューを取得し，電子バリュー記憶部１２２に格納する機能を有する。具体的には例えば，電子バリュー発行サーバ１１４から通信網１１２を介して電子メール等によって電子クーポンを受信し，電子バリュー記憶部１２２への書き込みを行う。
【００４７】
電子バリュー記憶部１２２は，電子バリューを記憶する機能を有する。後述する電子バリュー発行サーバ１１４が備える電子バリュー蓄積部１５４から，電子バリュー発行サーバ１１４によってユーザの嗜好に沿うように選択されて発行された電子クーポンが格納されている。ここで，電子バリュー蓄積部１５４および電子バリュー記憶部１２２について図４を参照して説明する。
【００４８】
図４に示す通り，電子バリュー蓄積部１５４には，電子クーポンのサービス識別子が識別子欄１７０に格納され，識別子に対応するサービス名がサービス欄１７２に格納され，電子クーポンが電子バリュー欄１８４に格納される。サービス識別子とは，例えば，電子クーポンを発行している事業者を識別する識別子であり，サービス欄１７２にはその事業者の名前などが格納される。電子バリュー欄１７４には，サービス識別子によって識別される事業者によって発行される電子クーポンがそのサービス識別子と関連づけられて記憶されている。電子バリュー発行サーバ１１４がユーザに電子クーポンを発行する際には，例えばユーザが会員登録をしているサービスのサービス識別子と関連付けられている電子クーポンの中からユーザの嗜好に基づいて電子クーポンを発行する。
【００４９】
電子バリュー記憶部１２２には，電子クーポン発行装置１１４から発行された電子クーポンが格納される。図４に示すように，電子クーポンのサービス識別子が識別子欄１８０に格納され，電子クーポンが電子バリュー欄１８４に格納される。具体的には例えば，上述の電子バリュー取得部１２０が電子バリュー発行サーバ１１４からサービス識別子と電子クーポンとを受信し，電子バリュー記憶部１２２に受信したサービス識別子と対応付けて受信した電子クーポンを格納する。
【００５０】
図２に戻り，ユーザ携帯端末１０２の説明を続ける。端末電子バリュー選択部１２４は，電子バリュー記憶部１２２からユーザに所望の電子クーポンを選択させる機能を有する。具体的には，ユーザ携帯端末１０２が携帯電話やＰＤＡなどであってキーボード等の入力手段を有する場合に，端末電子バリュー選択部１２４は，入力手段等を介して所望の電子クーポン，すなわち他人に譲渡したい電子クーポンをユーザに選択させ，選択された電子クーポンを電子バリュー記憶部１２２から取得し，端末電子バリュー送信部１２６に提供する。
【００５１】
端末電子バリュー送信部１２６は，端末電子バリュー選択部１２４から取得した電子クーポンを電子バリュー流通装置１０４に送信する。
【００５２】
端末電子バリュー受信部は，電子バリュー流通装置１０４から電子クーポンを受信する機能を有する。すなわち，ユーザ携帯端末１０２は電子バリュー流通装置１０４に電子クーポンを送信できるとともに，電子バリュー流通装置１０４から受信もできる。従って，２以上のユーザ携帯端末１０２間で各々が有している電子クーポンを電子バリュー流通装置１０４を介して交換することが可能である。
【００５３】
ユーザ識別子記憶部１３０は，ユーザを一意に識別するユーザ識別子を記憶する。ユーザ識別子送信部１３２は，ユーザ識別子記憶部１３０からユーザ識別子を取得して電子バリュー流通装置１０４に送信する機能を有する。
【００５４】
電子バリュー流通装置１０４は，例えば電子バリュー受信部１４０と，電子バリュー送信部１４２と，流通情報送信部１４４などから構成される。電子バリュー受信部１４０は，ユーザ携帯端末１０２から電子クーポンを受信し，電子バリュー送信部にその電子クーポンを提供するとともに，受信した電子クーポンに関する情報を流通情報送信部１４４に提供する。受信した電子クーポンに関する情報とは，例えば上述のとおり，電子クーポンを識別する識別子や，電子クーポンの内容を示すキーワードなどである。
【００５５】
電子バリュー送信部１４２は，電子バリュー受信部から取得した電子クーポンをユーザ携帯端末１０２に送信する機能を有する。
【００５６】
ユーザ識別子受信部１４６は，ユーザ携帯端末１０２からユーザ識別子を受信し，流通情報送信部に提供する機能を有する。電子バリュー受信部がユーザ携帯端末１０２から電子クーポンを受信する際にユーザ識別子受信部１４６はそのユーザ携帯端末１０２からユーザ識別子を受信し，電子クーポン譲渡側のユーザ識別子として流通情報送信部１４４に提供する。また，電子バリュー送信部１４２が電子クーポンの送信を行う際に，送信相手である他のユーザ携帯端末１０２からユーザ識別子を受信し，電子クーポン譲受側のユーザ識別子として流通情報送信部１４４に提供する。
【００５７】
流通情報送信部１４０は，電子バリュー受信部１４０から受信した電子クーポンに関する情報を取得し，ユーザ識別子受信部１４６からその電子クーポンの受信元であるユーザ携帯端末１０２のユーザ識別子，および，その電子クーポンの送信先であるユーザ携帯端末１０２のユーザ識別子の３つを関連付けて流通情報として電子バリュー発行サーバ１１４に送信する。
【００５８】
なお，流通情報送信部１４０が電子バリュー発行サーバ１１４に送信する流通情報には，電子クーポンの受信元であるユーザ携帯端末１０２のユーザ識別子，またはその電子クーポンの送信先であるユーザ携帯端末１０２のユーザ識別子のどちらか一方のみが含まれていても構わない。
【００５９】
その他に，電子バリュー流通装置１０４は上述した電子バリュー選択部（図示せず）を備えていてもよい。
【００６０】
電子バリュー発行サーバ１１４は，例えば，電子バリュー発行部１５０と，流通情報受信部１５２と，電子バリュー蓄積部１５４と，嗜好情報記憶部１５６などから構成される。流通情報受信部１５２は，電子バリュー流通装置１０４から流通情報を受信し，受信した流通情報に基づいて嗜好情報記憶部１５６に記憶されているユーザの嗜好情報を更新する機能を有する。流通情報受信部１５２が流通情報をユーザの嗜好情報に反映させる一例を図３を用いて説明する。
【００６１】
図３に示すように，嗜好情報記憶部１５６には，ユーザ識別子１６０と嗜好情報１６２とが関連付けられて記憶されている。ユーザ識別子１６０には，予め会員登録しているユーザのユーザＩＤが格納される。嗜好情報１６２には，ユーザの嗜好を示す情報が格納されている。ユーザの嗜好を示す情報は，例えば会員登録時にユーザに対してアンケート等を行って得た結果や，ユーザの購買実績などから抽出された結果や，後述の通り流通情報が反映された結果などを含む。
【００６２】
上述のように嗜好情報記憶部１６０は流通情報受信部部１５２によって更新される。図３の例によれば，流通情報として，電子クーポンの受信元のユーザ識別子「０００４」，電子クーポンの送信先のユーザ識別子「００００３」，電子クーポンに関する情報「洋画ＳＦ」を流通情報受信部１５２が電子バリュー流通装置１０４から受信した場合には，電子クーポンの受信元，すなわち「洋画ＳＦ」の電子クーポンを譲渡したユーザ「００００４」の嗜好情報から「洋画ＳＦ」を削除し，電子クーポンの送信元，すなわち「洋画ＳＦ」の電子クーポンを譲受したユーザ「００００３」の嗜好情報に「洋画ＳＦ」を追加する。
【００６３】
電子バリュー発行部１５０は，嗜好情報記憶部１５６からユーザの嗜好情報を取得し，その嗜好情報に基づいて電子バリュー蓄積部１５４からユーザに発行する電子クーポンを取得し，ユーザ携帯端末１０２に送信する。ユーザの嗜好情報に基づいてユーザに発行する電子クーポンを決定する例を図３および図４を参照して具体的に説明する。
【００６４】
例えば，ユーザ識別子「００００３」のユーザに電子クーポンを発行しようとする場合，まず電子バリュー発行部１５０は，嗜好情報記憶部１５６からユーザ識別子「００００３」と対応付けられている嗜好情報「洋画ＳＦ」，「洋画アニメ」等を取得する。その後，例えば「洋画」，「ＳＦ」，「アニメ」などを検索キーとして電子バリュー蓄積部１５４を検索し，「邦画アニメ割引券」を取得してユーザ識別子「００００３」のユーザに発行するべくユーザ携帯端末１０２に送信する。
【００６５】
なお，嗜好情報記憶部１５６から取得した嗜好情報に基づいて，例えばデータマイニングを行うなどしてユーザの嗜好の傾向を抽出し，その嗜好の傾向に沿った電子クーポンを電子バリュー蓄積部から取得してもよい。また，電子バリュー蓄積部から取得するのみではなく，例えば電子バリュー発行サーバ１１４と通信網１１２を介して接続されている電子クーポンを発行する事業者の情報処理装置などから取得するようにしてもよい。
【００６６】
以上，ユーザ携帯端末１０２，電子バリュー流通装置１０４および電子バリュー発行サーバ１１４の機能構成について説明した。次に，図５に基づいて，本実施形態にかかる電子バリュー流通システム１００におけるユーザ携帯端末１０２間での電子クーポンの授受および流通情報の処理フローについて説明する。
【００６７】
まず，ステップＳ１０２で，電子バリュー発行サーバ１１４がユーザの嗜好情報を嗜好情報記憶部１５６に記憶する（Ｓ１０２）。その後，電子バリュー発行サーバ１１４は例えば第２ユーザ携帯端末１０２ｂと関連付けられたユーザ識別子によって識別されるユーザの嗜好に沿った電子クーポンを送信する（Ｓ１０４）。第２ユーザ携帯端末１０２ｂはステップＳ１０６で電子クーポンを受信し（Ｓ１０６），受信した電子クーポンを電子バリュー記憶部１２２に記憶する（Ｓ１０８）。
【００６８】
その後，ユーザがユーザ携帯端末１０２に備えられている入力装置などを用いて，電子バリュー記憶部１２２に記憶されている電子クーポンから所望のものを選択する（Ｓ１１０）。第２ユーザ携帯端末１０２ｂはユーザに選択された電子クーポンを電子バリュー流通装置１０４に送信する（Ｓ１１２）。電子バリュー流通装置１０４は，ステップＳ１１４で第２ユーザ携帯端末１０２ｂからユーザ識別子と電子クーポンを受信する（Ｓ１１４）。その後，第２ユーザ携帯端末１０２ｂから電子バリュー流通装置１０４に送信された電子クーポンを受信するべく第１ユーザ携帯端末１０２ａがユーザ識別子を送信する（Ｓ１１６）。電子バリュー流通装置１０４はステップＳ１１８で第１ユーザ携帯端末１０２ａからユーザ識別子を受信後（Ｓ１１８），第２ユーザ携帯端末１０２ｂから受信した電子クーポンを第１ユーザ携帯端末１０２ａに送信する（Ｓ１２０）。第１ユーザ携帯端末１０２ａはステップＳ１２２で電子バリュー流通装置１０４から電子クーポンを受信し（Ｓ１２２），第２ユーザ携帯端末１０２ｂから第１ユーザ携帯端末１０２ａへの電子クーポンの譲渡は終了する。
【００６９】
その後，電子バリュー流通装置１０４は，第２ユーザ携帯端末１０２ｂから受信したユーザ識別子，電子クーポンに関する情報および第１ユーザ携帯端末１０２ａから受信したユーザ識別子の３つを関連付けて電子バリュー発行サーバ１１４に送信する（Ｓ１２４）。電子バリュー発行サーバ１１４はステップＳ１２６で電子バリュー流通装置１０４から２つのユーザ識別子と電子クーポンに関する情報とを受信し（Ｓ１２６），受信したユーザ識別子と電子クーポンに関する情報とに基づいて嗜好情報記憶部１５６を更新する（Ｓ１２８）。
【００７０】
以上，電子バリュー流通システム１００におけるユーザ携帯端末１０２間での電子クーポンの授受および流通情報の処理フローについて説明した。
【００７１】
第１実施形態にかかる電子バリュー流通システム１００を上記構成にすることによって，２人以上のユーザ間でユーザ携帯端末１０２および電子バリュー流通装置１０４とを用いて電子クーポンの譲渡，交換等を行うことができ，電子クーポンを流通させることができる。また，譲渡が行われた際に譲渡対象の電子クーポンの情報と，譲渡および譲受を行ったユーザ識別子とを電子バリュー流通装置１０４が電子バリュー発行サーバ１１４に送信することによって，電子クーポンの交換等の流通状況を電子バリュー発行サーバ１１４が把握し，電子クーポン発行時に参照するユーザの嗜好情報に反映させることができる。
【００７２】
（第２実施形態）
次に，本発明の第２実施形態として，電子クーポンを電子バリューの一例とし，ユーザが不要な電子クーポンを所望の電子クーポンと交換することができ，さらに，交換が行われた際に，交換対象の電子クーポンの情報を交換を行ったユーザの嗜好情報に反映させることの可能な電子バリュー流通システム２００に適用して説明する
【００７３】
電子バリュー流通システム２００の全体構成は第１実施形態にかかる電子バリュー流通システム１００とほぼ同様であるため，説明を省略する。なお，第２実施形態において，ユーザ携帯端末は符号２０２，電子バリュー流通装置は符号２０４，電子バリュー発行サーバは符号２１４で説明する。
【００７４】
図６に基づいて，本実施形態にかかるユーザ携帯端末２０２，電子バリュー流通装置２０４および電子バリュー発行サーバ２１４の機能構成について説明する。なお，ハードウェア構成は第１実施形態とほぼ同様であるため説明を省略する。
【００７５】
ユーザ携帯端末２０２は，例えば，電子バリュー取得部２２０と，電子バリュー出入部２２１と，電子バリュー記憶部２２２と，端末電子バリュー選択部２２４と，端末電子バリュー送信部２２６と，端末電子バリュー受信部２２８と，ユーザ識別子記憶部２３０と，ユーザ識別子送信部２３２などから構成される。
【００７６】
電子バリュー取得部２２０，電子バリュー記憶部２２２，端末電子バリュー選択部２２４，端末電子バリュー送信部２２６，端末電子バリュー受信部２２８，ユーザ識別子記憶部２３０およびユーザ識別子送信部２３２は第１実施形態にかかるユーザ携帯端末１０２で説明した機能とほぼ同様の機能を有するため，説明を省略する。
【００７７】
電子バリュー出入部２２１は，電子バリュー記憶部２２２から電子クーポンを取得して電子バリュー発行サーバ２１４に送信し，かつ，電子バリュー発行サーバ２１４から電子クーポンを取得して電子バリュー記憶部２２２に格納する機能を有する。ただし，電子バリュー出入部２２１が電子バリュー発行サーバ２１４から取得する電子クーポンは，以前に電子バリュー取得部２２０が電子バリュー発行サーバ２１４から受信して電子バリュー記憶部２２２に格納した電子クーポンを電子バリュー出入部２２１が電子バリュー発行サーバ２１４に送信したものである。すなわち，電子バリュー発行サーバ２１４から新しく発行される電子クーポンではなく既に発行済みの電子クーポンであって，例えば電子バリュー記憶部２２２に記憶させておくべき電子クーポンが多すぎて電子バリュー記憶部２２２が記憶できる許容量を超える場合などに，一時的に電子バリュー発行サーバ２１４に保存しておいた電子クーポンである。
【００７８】
かかる構成によれば，ユーザ携帯端末２０２を利用するユーザは，すぐに必要な電子クーポンのみをユーザ携帯端末２０２内の電子バリュー記憶部２２２に格納しておき，必要ではあるがすぐには使用しない電子クーポンを一時的に電子バリュー発行サーバ２１４に保存しておいて必要となった時に電子バリュー発行サーバ２１４から取得して電子バリュー記憶部２２２に格納することができる。そのため，ユーザは，ユーザ携帯端末２０２内で電子バリュー記憶部２２２が格納される記憶装置の記憶容量が比較的少ない場合であっても，その容量に関わりなく多くの電子クーポンを利用することができる。
【００７９】
電子バリュー流通装置２０４は，例えば，電子バリュー受信部２４０と，流通電子バリュー蓄積部２４１と，電子バリュー送信部２４２と，流通電子バリュー選択部２４３と，流通電子バリュー抽出部２４５と，ユーザ識別子受信部２４６と，流通情報送信部２４４などから構成される。
【００８０】
電子バリュー受信部２４０は，ユーザ携帯端末２０２から電子クーポンを受信し，流通電子バリュー蓄積部に格納する。また，受信した電子クーポンに関する情報を流通情報送信部２４４に提供する。
【００８１】
流通電子バリュー蓄積部２４１は，電子バリュー受信部２４０から取得した電子クーポンを蓄積する。また，電子バリュー受信部２４０がユーザ携帯端末２０２から取得した電子クーポンのみではなく，電子バリュー流通装置２０４が電子バリュー発行サーバ２１４から電子クーポンを取得して流通電子バリュー蓄積部２４１に蓄積するようにしてもよい。具体的には例えば，図４で説明した電子バリュー蓄積部１５４とほぼ同様の構成で，電子クーポンのサービス識別子，識別子に対応するサービス名および電子クーポンなどが格納される。
【００８２】
流通電子バリュー抽出部２４５は，電子バリュー受信部２４０が電子クーポンを受信したユーザ携帯端末２０２に対してその電子クーポンと引き替えに提供することの可能な電子クーポンを流通電子バリュー蓄積部２４１から抽出する。具体的には例えば，受信した電子クーポンを発行した事業者と同じ事業者から発行されている電子クーポンをサービス識別子に基づいて抽出する。または，事業者間や電子クーポン間で予め交換の可否を定めておき，受信した電子クーポンの発行事業者と交換可能に設定されている発行事業者の電子クーポンや，受信した電子クーポンと交換可能に設定されている電子クーポンなどを抽出する。または，上記のように電子クーポンによって交換の可否を分けるのではなく，流通電子バリュー蓄積部２４１に格納されている電子クーポンのいずれでも提供できるように構成してもよく，流通電子バリュー抽出部２４５は流通電子バリュー蓄積部２４１に格納されている全ての電子クーポンを取得しても構わない。
【００８３】
流通電子バリュー選択部２４３は，流通電子バリュー抽出部２４５が流通電子バリュー蓄積部２４１から抽出した電子クーポンの中からユーザに所望の電子クーポンを選択させる機能を有する。具体的には例えば，電子バリュー流通装置２０４がユーザ携帯端末２０２から取得した電子クーポンと引き替えにユーザ携帯端末２０２に提供可能な電子クーポンが流通電子バリュー蓄積部２４５から複数抽出された場合に，流通電子バリュー選択部２４３は電子バリュー流通装置２０４が備える表示部などにその複数の電子クーポンの内容などを表示させ，電子バリュー流通装置２０４が備える電子クーポン選択部などを介してユーザに所望の電子クーポンを選択させる。
【００８４】
電子バリュー送信部２４２は，流通電子バリュー選択部２４３においてユーザに選択された電子クーポンをユーザ携帯端末２０２に送信する機能を有する。また，送信した電子クーポンに関する情報を流通情報送信部２４４に提供する機能を有する。
【００８５】
ユーザ識別子受信部２４６は，ユーザ携帯端末２０２からユーザ識別子を受信し，流通情報送信部に提供する機能を有する。電子バリュー受信部がユーザ携帯端末２０２から電子クーポンを受信する際にユーザ識別子受信部はそのユーザ携帯端末２０２からユーザ識別子を受信して電子クーポンの交換を行うユーザのユーザ識別子として流通情報送信部２４４に提供する。
【００８６】
流通情報送信部２４０は，電子バリュー受信部２４０から，受信した電子クーポンに関する情報を取得し，ユーザ識別子受信部２４６からその電子クーポンの受信元であるユーザ携帯端末２０２のユーザ識別子を取得し，電子バリュー送信部２４２から，送信した電子クーポンに関する情報を取得し，その３つを関連付けて流通情報として電子バリュー発行サーバ２１４に送信する。
【００８７】
なお，流通情報送信部２４０が電子バリュー発行サーバ２１４に送信する流通情報には，ユーザ携帯端末２０２から受信した電子クーポンに関する情報，またはユーザ携帯端末２０２に送信した電子クーポンに関する情報のどちらか一方のみが含まれていても構わない。
【００８８】
電子バリュー発行サーバ２１４は，例えば，電子バリュー発行部２５０と，流通情報受信部２５２と，電子バリュー蓄積部２５４と，嗜好情報記憶部２５６と，保存電子バリュー出入部２５７と，電子バリュー一時保存部２５９などから構成される。
【００８９】
電子バリュー発行部２５０，流通情報受信部２５２，嗜好情報記憶部２５６は第１実施形態にかかる電子バリュー発行サーバ１１４で説明した機能とほぼ同様の機能を有するため，説明を省略する。
【００９０】
流通情報受信部２５２は，電子バリュー流通装置２０４から流通情報を受信し，受信した流通情報に基づいて嗜好情報記憶部２５６に記憶されているユーザの嗜好情報を更新する機能を有する。第１実施形態では，流通情報受信部２５２は，流通情報として電子クーポンに関する情報，その電子クーポンの受信元のユーザ識別子および送信先のユーザ識別子とを受信したのに対して，本実施形態では流通情報として電子バリュー流通装置２０４がユーザ携帯端末２０２から受信した電子クーポンに関する情報，ユーザ携帯端末２０２に送信した電子クーポンに関する情報，および送受信相手であるユーザ携帯端末２０２から取得したユーザ識別子である。
【００９１】
従って，流通情報受信部２５２は，受信したユーザ識別子に基づき，嗜好情報記憶部２５６内の該当するユーザ識別子と関連付けられている嗜好情報を更新する。具体的には例えば，電子バリュー流通装置２０４がユーザ携帯端末２０２から受信した電子クーポンを，ユーザにとって不要な電子クーポンであるとし，その電子クーポンに関する情報がユーザの嗜好情報として格納されていれば，もはやユーザはその情報には興味が無くなったと仮定してユーザの嗜好情報から削除する。また，電子バリュー流通装置２０４がユーザ携帯端末２０２に送信した電子クーポンを，ユーザが必要な電子クーポンであるとし，その電子クーポンに関する情報をユーザが興味を持つ情報であると仮定してユーザの嗜好情報に追加する。
【００９２】
上記の如くユーザの嗜好情報を更新することによって，電子クーポンの交換という行動を通して現れるユーザの嗜好の変化を電子バリュー発行サーバ２１４が管理するユーザの嗜好情報に反映させることができ，よりユーザの嗜好に即して電子クーポンを発行することができる。
【００９３】
保存電子バリュー出入部２５７は，ユーザ携帯端末２０２から電子クーポンを受信して電子バリュー一時保存部２５９に格納するとともに，ユーザ携帯端末２０２からの要求に応じて電子バリュー一時保存部２５９から電子クーポンを取得してユーザ携帯端末２０２に送信する機能を有する。
【００９４】
電子バリュー一時保存部２５９は，保存電子バリュー出入部２５７がユーザ携帯端末２０２から受信した電子クーポンをユーザ毎に保存する機能を有する。具体的には，例えば図７に示したようにユーザ識別子がユーザ識別子欄２６０に格納され，電子クーポンがユーザ識別子と関連付けられて電子バリュー欄２６２に格納される。電子バリュー一時保存部２５９に格納されている電子クーポンは，関連付けられているユーザ識別子で識別されるユーザに既に電子バリュー発行部２５０によって発行されたものであり，ユーザ携帯端末２０２の電子バリュー記憶部２２２の容量オーバーなどによって記憶させておけなくなったものなどが一時的に保存されている。かかる構成によれば，上述の通り，ユーザは，すぐに必要でない電子クーポン等を電子バリュー一時保存部に保存しておくことができる。
【００９５】
また，保存電子バリュー出入部２５７は，ユーザ識別子，受信した電子クーポン，送信した電子クーポンおよび送信／受信した日時などを電子バリュー出入のログとして記憶してもよい。ログを記憶しておけば，ユーザの電子クーポンの出し入れ状況を電子バリュー発行サーバ２１４が把握することができる。
【００９６】
以上，ユーザ携帯端末２０２，電子バリュー流通装置２０４および電子バリュー発行サーバ２１４の機能構成について説明した。次に，図８に基づいて，本実施形態にかかる電子バリュー流通システム２００における電子バリュー流通装置２０４における電子クーポンの交換および流通情報の処理フローについて説明する。
【００９７】
まず，ステップＳ２００で，電子バリュー流通装置２０４が，複数のユーザ携帯端末から受信した電子クーポンを流通電子バリュー蓄積部２４１に蓄積する（Ｓ２００）。一方，電子バリュー発行サーバ２１４はステップＳ２０２で，ユーザの嗜好情報を嗜好情報記憶部２５６に記憶する（Ｓ２０２）。その後，電子バリュー発行サーバ２１４はユーザ携帯端末２０２と関連付けられたユーザ識別子によって識別されるユーザの嗜好に沿った電子クーポンを送信する（Ｓ２０４）。ユーザ携帯端末２０２はステップＳ２０６で電子クーポンを受信し（Ｓ２０６），受信した電子クーポンを電子バリュー記憶部２２２に記憶する（Ｓ２０８）。
【００９８】
その後，ユーザがユーザ携帯端末２０２に備えられている入力装置などを用いて，電子バリュー記憶部１２２に記憶されている電子クーポンから不要なものを選択する（Ｓ２１０）。ユーザ携帯端末２０２はユーザに選択された電子クーポンを電子バリュー流通装置２０４に送信する（Ｓ２１２）。電子バリュー流通装置２０４は，ステップＳ２１４でユーザ携帯端末２０２からユーザ識別子と電子クーポンを受信し（Ｓ２１４），受信した電子クーポンを流通電子バリュー蓄積部２４１に格納する（Ｓ２１６）。その後，受信した電子クーポンと交換可能な電子クーポンを流通電子バリュー蓄積部２４１から抽出し（Ｓ２１８），抽出された電子クーポンの中からユーザに所望の電子クーポンを選択させ（Ｓ２２０），選択された電子クーポンをユーザ携帯端末２０２に送信する（Ｓ２２２）。ユーザ携帯端末２０２は，ステップＳ２２４で電子バリュー流通装置２０４から所望の電子クーポンを受信し（Ｓ２２４），電子クーポンの交換が完了する。
【００９９】
電子バリュー流通装置２０４は，ステップＳ２２６で，ユーザ識別子，受信した電子クーポンに関する情報および送信した電子クーポンに関する情報の３つを関連付けて電子バリュー発行サーバ２１４に送信する（Ｓ２２６）。
【０１００】
電子バリュー発行サーバ２１４はステップＳ２２８で電子バリュー流通装置２０４からユーザ識別子と２つの電子クーポンに関する情報とを受信し（Ｓ２２８），受信したユーザ識別子と電子クーポンに関する情報とに基づいて嗜好情報記憶部２５６を更新する（Ｓ２３０）。
【０１０１】
以上，電子バリュー流通システム２００にかかる電子バリュー流通装置２０４における電子クーポンの交換および流通情報の処理フローについて説明した。
【０１０２】
第２実施形態にかかる電子バリュー流通システム２００を上記構成にすることによって，ユーザはユーザ携帯端末２０２および電子バリュー流通装置２０４とを用いて電子クーポンの交換等を行うことができる。また，交換が行われた際に交換対象の電子クーポンの情報と，交換を行ったユーザ識別子とを電子バリュー流通装置２０４が電子バリュー発行サーバ２１４に送信することによって，電子クーポンの交換等の流通状況を電子バリュー発行サーバ２１４が把握し，電子クーポン発行時に参照するユーザの嗜好情報に反映させることができる。
【０１０３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１０４】
例えば，上記実施形態では電子クーポンを電子バリューの一例として説明したが，本発明はかかる例には限定されない。本発明にかかる電子バリューは，商品やサービスの提供者から顧客に対して提供される金銭的に価値のある情報であればよく，例えば，顧客の商品／サービス購入額に応じて与えられ，次回商品購入時に商品の割引を受けたりプレゼントと交換できるポイントなどでもよく，ポイントをユーザ間等で流通させるように構成されても構わない。
【産業上の利用可能性】
【０１０５】
本発明は，電子バリュー流通システム，ユーザ携帯端末，電子バリュー流通装置，電子バリュー流通方法およびコンピュータプログラムに適用可能であり，特に電子バリューの提供者が電子バリューの流通状況を把握することが可能な電子バリュー流通システム等に適用可能である。
【図面の簡単な説明】
【０１０６】
【図１】本発明の第１の実施形態にかかる電子バリュー流通システムの全体構成を示す説明図である。
【図２】同実施の形態におけるユーザ携帯端末，電子バリュー流通装置および電子バリュー発行サーバの構成を示すブロック図である。
【図３】同実施の形態における嗜好情報記憶部の一例を示す説明図である。
【図４】同実施の形態における電子バリュー蓄積部および電子バリュー記憶部の一例を示す説明図である。
【図５】同実施の形態における電子バリューの流通処理を示すタイミングチャートである。
【図６】本発明の第２の実施形態におけるユーザ携帯端末，電子バリュー流通装置および電子バリュー発行サーバの構成を示すブロック図である。
【図７】同実施の形態における電子バリュー一時保存部の一例を示す説明図である。
【図８】同実施の形態における電子バリューの流通処理を示すタイミングチャートである。
【符号の説明】
【０１０７】
１００      電子バリュー流通システム
１０２，２０２      ユーザ携帯端末
１０４，２０４      電子バリュー流通装置
１０６      表示部
１０８      電子バリュー選択部
１１０      非接触式通信部
１１２      通信網
１１４，２１４      電子バリュー流通サーバ
【図１】
2005301586.tif 000003
【図２】
2005301586.tif 000004
【図３】
2005301586.tif 000005
【図４】
2005301586.tif 000006
【図５】
2005301586.tif 000007
【図６】
2005301586.tif 000008
【図７】
2005301586.tif 000009
【図８】
2005301586.tif 000010